(57)【要約】【課題】  ドアが不正に開けられることを防ぐ新規の開閉ドアを提供する【解決手段】開閉可能なドアと、前記ドアを覆う枠体とから構成された開閉ドアであって、前記枠体のドア開閉側縦枠には、前記ドアを施錠・解錠するためのロック機構が少なくとも１つ設けられており、前記開閉側縦枠には２以上のロック機構が設けられ、さらに前記ロック機構のうち少なくとも１つは、レバー式ドアノブにより解錠し、さらにまた、前記ロック機構のうち少なくとも１つは、閂式施錠機構を有していることを特徴とする開閉ドア。【選択図】      図１
2014058847.tif 000002
【特許請求の範囲】
【請求項１】
開閉可能なドアと、前記ドアを覆う枠体とから構成された開閉ドアであって、
前記枠体のドア開閉側縦枠には、前記ドアを施錠・解錠するためのロック機構が少なくとも１つ設けられていることを特徴とする開閉ドア。
【請求項２】
前記開閉側縦枠には２以上のロック機構が設けられていることを特徴とする請求項１に記載の開閉ドア。
【請求項３】
前記ロック機構のうち少なくとも１つは、レバー式ドアノブにより解錠することを特徴とする請求項１または請求項２に記載の開閉ドア。
【請求項４】
前記ロック機構のうち少なくとも１つは、閂式施錠機構を有していることを特徴とする請求項１から請求項３のいずれか１項に記載の開閉ドア。
【発明の詳細な説明】
【技術分野】
【０００１】
本発明は、主としてマンション、ビル、戸建住宅等の建物に用いられる玄関ドア等の開閉ドアに関するものである。
【背景技術】
【０００２】
本発明は、主としてマンション、ビル、戸建住宅等の建物に用いられる玄関ドア等の開閉ドアに関するものである。
【０００３】
マンション、ビル、戸建住宅等の建物に用いられる玄関ドア等の開閉ドアは、一般に図４に示す通り、ドア１０１を囲う固定側縦枠１０２Ａ、開閉側縦枠１０２Ｂ、上側横枠１０２Ｃ、下側横枠１０２ｄからなるドア枠から構成され、ドアを施錠・解錠するためのドアロック機構１０３（鍵部１０３Ａ、ロックピン１０３Ｂ）がドア側に設けられ、そして、開閉側縦枠１０２Ｂの相当する位置にロックピン収納用の溝が設けられている。
【０００４】
近年、空き巣（侵入窃盗）が多発する傾向にあり、特に開閉ドアのロック機構をピッキングにより開錠するケースが増加している。
【０００５】
ピッキングとは、合鍵以外の用具（ピッキング用具：特殊工具）を用い、錠シリンダー部分を操作して解錠する手口のことであり、熟練者になれば極僅かな時間で解錠してしまうほどである。ピッキングによる手口の空き巣では、窓ガラスが割られるといった損壊されるものが一切無いため、発見が遅れやすいとともに、犯罪自体に気が付き難いという面がある。
【０００６】
そこで、ピッキング対策として錠前の製造会社は研究して構造に工夫を凝らし、ピッキングされても容易には解錠できないものにする改良努力が行われている（例えば特許文献１、２）が、それに従ってピッキング技術も進化して行くという「いたちごっこ」の傾向があり、なかなかピッキングによる被害を減少させるのが難しいというのが実情である。
【先行技術文献】
【特許文献】
【０００７】
【特許文献１】特開２００３−９０１５３号公報
【特許文献２】特開２００３−１３８７９６号公報
【発明の概要】
【発明が解決しようとする課題】
【０００８】
しかしながら、従来の開閉ドアでは、ロック機構がドア側に設けられているので、ロック機構の構造に制約があった。
【０００９】
したがって、本発明の課題は、ドアが不正に開けられることを防ぐ新規の開閉ドアを提供することである。
【課題を解決するための手段】
【００１０】
本発明者は、上記課題を解決するために鋭意検討した結果、ロック機構を従来のドア側でなく、ドア枠（開閉側縦枠）側に設けることによって、上記課題を解決できることを見出して、本発明を創作するに至った。
【００１１】
すなわち、本発明は、
開閉可能なドアと、前記ドアを覆う枠体とから構成された開閉ドアであって、
前記枠体のドア開閉側の縦枠は、前記ドアを施錠・解錠するためのロック機構が少なくとも１つ設けられていることを特徴とする開閉ドアに関する（請求項１）。
【００１２】
前記開閉側縦枠には２以上のロック機構が設けられていることが好ましい（請求項２）。また、前記ロック機構のうち少なくとも１つは、レバー式ドアノブにより解錠する構成または閂式施錠機構を有していることができる。
【発明の効果】
【００１３】
本発明の開閉ドアは、ロック機構が開閉ドアの枠体側に設けられているので、ロック機構を頑強な構造にしたり、複雑な構造にしたりすることが可能であるので、工具等による不正な方法によりドアを開けることが困難となる。
【００１４】
また、本発明の開閉ドアは、枠部に呼び鈴やドアフォン、カメラ付きドアフォンを取り付けることが可能であるので、ドア、枠体、ロック機構や呼び鈴等を総合的にデザインすることが可能となり、デザインの自由度が増加する。
【図面の簡単な説明】
【００１５】
【図１】本発明の第１実施形態に係る開閉ドアの一例を示す図面である。
【図２】（ａ）、（ｂ）は本発明の開閉ドアに使用するロック機構の一例を示す図面である。
【図３】本発明の第２実施形態に係る開閉ドアの一例を示す図面である。
【図４】従来の開閉ドアの一例を示す図面である。
【発明を実施するための形態】
【００１６】
以下、本発明の実施の形態を添付図面に基づいて説明する。
【００１７】
図１に示す通り、第１実施形態に係る本発明の開閉ドア１０は、マンション、ビル、戸建住宅等の建物に用いられる玄関ドア、個室用ドア等の開閉ドアであって、ドア１とドア１を囲う枠体である固定側縦枠２Ａ、開放側縦枠２Ｂ、上部横枠２Ｃおよび下部横枠２Ｄと、開放側縦枠２Ｂに設けられたロック機構３と、ドアに設けられた把手４とから主として構成されている。
【００１８】
なお、本発明の開閉ドア１０に使用できるロック機構３は、従来公知のロック機構から適宜選択することができ、例えば、図２（ａ）に示す通り、レバー式ドアノブによりドアの解錠を行うものであっても、図２（ｂ）に示す通り閂状の構造を有するものであってもよい。
【００１９】
すなわち、図２（ａ）に示すロック機構は、鍵部３Ａと、鍵部Ａ３に対応する鍵を差し込み左右に鍵を回すことにより水平方向に移動し、ドア１の相当する部分に設けられた溝部と係合、離脱することにより施錠・解錠するロックピン３Ｂと、ドア１を開ける際にロックピン３Ｂを開放するためのレバー式ドアノブ３Ｃと、から構成されたロック機構である。
【００２０】
また、図２（ｂ）に示すロック機構は、鍵部３Ａ’と、鍵部３Ａ’に対応する鍵を差し込み左右に鍵を回すことにより水平方向に移動し、ドア１の相当する部分に設けられた溝部と係合、離脱することにより施錠・解錠する閂状の構造ロックピン３Ｂ’とから構成されたロック機構であり、本発明では主として補助ロック機構として使用する。さらに、本発明で使用可能なロック機構は、電子キー、電子ロック等により駆動するロック機構や暗唱番号を入力して解錠するタイプのロック機構であってもよい。
【００２１】
このように本発明に係る開閉ドア１０は、開放側縦枠２Ｂにロック機構３を有しており、ロック機構３に対応する溝部をドアの相当箇所に施していることが特徴である。
【００２２】
このような構成にすることにより、本発明に係る開閉ドア１０は、ロック機構３を頑強な構造にしたり、複雑な構造にしたりすることが可能となるので、ピッキング等による不正解錠を防止することが可能である。
【００２３】
また、本発明の開閉ドアは、例えば図３に示す通り、複数のロック機構３、３’、３”を開放側縦枠２Ｂに設けることも可能である。さらに、ロック機構に加えて、枠部に呼び鈴やドアフォン、カメラ付きドアフォンを取り付けることが可能である。
【００２４】
このように、本発明の開閉ドア１０は、複数のロック機構３、３’、３”、呼び鈴やドアフォン、カメラ付きドアフォン等を開放側縦枠２Ｂに取り付けることが可能であるので、統一したデザインを図ることが可能となる。
【００２５】
また、開放側縦枠２Ｂは、比較的配線の取り回しが容易であるので（ドアに比較して）前述した電子キーや呼び鈴やドアフォン、カメラ付きドアフォン等の配線を容易に行うことが可能となる。
【産業上の利用可能性】
【００２６】
本発明に係る開閉ドア１０は、ロック機構３を頑強な構造にしたり、複雑な構造にしたりすることが可能となるので、ピッキング等による不正解錠を防止することが可能である。
【００２７】
また、本発明の開閉ドア１０は、複数のロック機構３、３’、３”、呼び鈴やドアフォン、カメラ付きドアフォン等を開放側縦枠２Ｂに取り付けることが可能であるので、統一したデザインを図ることが可能となる。
【００２８】
また、開放側縦枠２Ｂは、比較的配線の取り回しが容易であるので（ドアに比較して）前述した電子キーや呼び鈴やドアフォン、カメラ付きドアフォン等の配線を容易に行うことが可能となる。
【符号の説明】
【００２９】
１    ドア
２Ａ  固定側縦枠
２Ｂ  開閉側縦枠
２Ｃ  上部横枠
２Ｂ  下部横枠
３    ロック機構
３Ａ  鍵部
３Ｂ  ロックピン
３Ｃ  レバー式ドアノブ
４    把手  
【図１】
2014058847.tif 000003
【図２】
2014058847.tif 000004
【図３】
2014058847.tif 000005
【図４】
2014058847.tif 000006